(57)【特許請求の範囲】
【請求項１】
湾曲形状の棒状物の一方の端部を握り部２とし、他方の端部には突起５を設け、更にトイレットペーパー１０を挟んで係止保持する為の挟み止め部３を設けたグリップ部1と、内層部８ｂとその内層部８ｂを両側から挟む様に設けた表層部８ａから成る三層構造の直方体状物であって、その内層部８ｂには挿入穴９を設けたブラシ部７とから成るお尻拭き補助具１１において、
（１）グリップ部１に関しては、棒状物はその断面形状が円形状や多角形状或はそれらの組合せ形状をした湾曲形状の剛性あるものであって、その一方の端部はお尻拭き補助具１１を操作使用する為の握り部２とし、他方の端部にはブラシ部７の挿入穴９に挿入しグリップ部１とブラシ部７とを一体化させる為の突起５を設けるが、その突起５としては剛性を有する球状、半球状、柱状、板状或はそれらの組合せ形状のものを使用し、更にトイレットペーパー１０の挟み保持用の挟み止め部３としては、その一方の端部を開口部１２、他方の端部を挿入ストッパ部４とする細長形状物を使用し、その挿入ストッパ部４が突起５の方に位置する様に棒状物に沿った形で設けると共に、挟み止め部３の棒状物への取付けは、挟み止め部3が挿入ストッパ部4側で棒状物と連結されるように取り付け、且つその取付け位置は、挿入ストッパ部４と突起５の先端との間の長さがブラシ部７の長さの５０％〜９０％となる位置に取り付ける事を特徴としたグリップ部１である事、
（２）ブラシ部７に関しては、直方体状物は平面形状が長方形状や楕円形状、波型形状或はそれらの組合せ形状物であって、素材としては内層部８ｂには柔軟性ある発泡樹脂を、表層部８ａには不織布やエラストマー、発泡樹脂のうちのいずれかの素材で、且つ内層部８ｂより伸縮性のない素材を使用し、更にその内層部８ｂにはグリップ部１に設けた突起５を挿入する為のスリット状の挿入穴９を、内層部８ｂの側面部から反対側の側面部に向かって、突起５が挿入可能な幅で且つ挿入ストッパ部４と突起５の先端との間の長さ以上の深さに切込み形成した事を特徴としたブラシ部７である事、
以上の特徴を有する上記グリップ部１の突起５を上記ブラシ部７の挿入穴９に挿入一体化させお尻拭き補助具１１を形成し、そのグリップ部１の握り部２を握り、トイレットペーパー１０をブラシ部７に巻き付け、更に挟み止め部３へ挟み込み係止し使用する事を特徴としたお尻拭き補助具。
以上
【発明の詳細な説明】
【技術分野】
【０００１】
本発明は妊婦や肥満・加齢・障害などによりお尻拭きが困難な人が、排便の後、水で洗浄後、温風による乾燥でも残った水分を拭く為に、自分でお尻を拭く事ができるように補助する道具として提供し、自らで清潔になった達成感を得ることを目的とするお尻拭き補助具。
【背景技術】
【０００２】
身体的機能の障害や肥満等により、お尻を拭く作業が困難になった人が他人の手を借りず作業が行えるように考えたものとして、特許文献１・特許文献２・特許文献３の３つがあるが、どれも腰をかがめる必要があり、その上に特許文献1においては肛門や周辺を傷つける恐れがあり、特許文献２においてはトイレットペーパーが止まらず握っている必要があり、特許文献３においてはちり紙を止める為に小さなリング６を操作する必要がある等の問題点がある。
【先行技術文献】
【特許文献】
【０００３】
【特許文献１】特願2003−205372号
【特許文献２】実用新案登録第3112872号
【特許文献３】実願  昭62−106601号
【発明の概要】
【発明が解決しようとする課題】
【０００４】
「下の世話」については、尊厳に係る事であり、妊婦や肥満・加齢・障害などによりお尻拭きが困難な人にとって、悩みの種である。水で洗浄後、温風による乾燥によりある程度の乾燥が出来るようになってはいるが、不十分であり、又上記の提案されている方法も解決策を提供するものではない。そこで本発明は、腰痛防止、清潔性、安全性、操作性などの課題、即ち、身体を前かがみ・後方へ体をねじる・屈めるなど腰の苦痛をやわらげ、肛門や周辺を傷つけず、トイレットペーパーの固定や保持が容易に出来て、更には汚れた場合や清潔保持の為に一定期間毎に交換する作業や洗浄・乾燥が自分で簡単に出来る、使い易いお尻拭き補助具の提供を目的としたものである。
【課題を解決するための手段】
【０００５】
湾曲形状の棒状物の一方の端部を握り部２とし、他方の端部には突起５を設け、更にトイレットペーパー１０を挟んで係止保持する為の挟み止め部３を設けたグリップ部1と、内層部８ｂとその内層部８ｂを両側から挟む様に設けた表層部８ａから成る三層構造の直方体状物であって、その内層部８ｂには挿入穴９を設けたブラシ部７とから成るお尻拭き補助具１１により解決した。
【０００６】
グリップ部1に関しては、棒状物はその断面形状が円形状や多角形状或はそれらの組合せ形状をした湾曲形状の剛性あるものであって、その一方の端部はお尻拭き補助具１１を操作使用する為の握り部２とし、他方の端部にはブラシ部７の挿入穴９に挿入しグリップ部１とブラシ部７とを一体化させる為の突起５を設けるが、その突起５としては、剛性を有する球状、半球状、柱状、板状或はそれらの組合せ形状のものを使用し、更にトイレットペーパー１０の挟み保持用の挟み止め部３としては、その一方の端部を開口部１２、他方の端部を挿入ストッパ部４とする細長形状物を使用し、その挿入ストッパ部４が突起５の方に位置する様に棒状物に沿った形で設けると共に、挟み止め部３の棒状物への取付けは、挟み止め部3が挿入ストッパ部4側で棒状物と連結されるように取り付け、且つ挿入ストッパ部４と突起５の先端間の長さがブラシ部７の長さの５０％〜９０％となる位置に設ける事を特徴としたグリップ部１である。
【０００７】
ブラシ部７に関しては、直方体状物は平面形状が長方形状や楕円形状、波型形状或はそれらの組合せ形状物であって、素材としては内層部８ｂには柔軟性ある発泡樹脂を、表層部８ａには不織布やエラストマー、発泡樹脂のうちのいずれかの素材で、且つ内層部８ｂより伸縮性のない素材を使用した三層構造であって、更にその内層部８ｂにはグリップ部１に設けた突起５を挿入する為のスリット状の挿入穴９を、突起５が挿入可能な幅で、且つ挿入ストッパ部４と突起５の先端間の長さ以上の深さに切込み形成した事を特徴としたブラシ部７である。
【０００８】
上述を特徴としたグリップ部１の突起５を上記ブラシ部７の挿入穴９に挿入一体化させお尻拭き補助具１１を形成し、そのグリップ部１の握り部２を手で握り、トイレットペーパー１０をブラシ部７に巻き付け、更に挟み止め部３へ挟み込み係止し使用する事を特徴としたお尻拭き補助具。
【発明の効果】
【０００９】
上記課題解決の為、上述の解決手段を工夫した結果、前かがみ・後方へ体をねじる・屈めるなどが妊婦や肥満・加齢・障害などによりお尻拭きが困難な方にとって、座ったままの楽な体制ででき、腰痛防止となった。
【００１０】
本発明は、グリップ部は湾曲したカーブのしなりにより、ソフトに力を伝える構造である上、直接触れる事はないので傷つける心配はない。直接触れるブラシ部もソフトな素材をトイレットペーパーで覆った状態で使用する為、肛門や周りの皮膚を傷つける心配はない。こうして、安全性についての課題を解決した。また、トイレットペーパーを保持し固定する作業は、高齢の方や障害のある方にとっては、指先の難しい作業は致命的ともいえる。本発明では、グリップ部に係止しやすい挟み止め部を設け、そうした指先が不自由な人にも、又、利き手が左右どちらでも、簡単に出来るように工夫し、操作性の課題を解決した。
【００１１】
更に、突起部分の工夫、柄のカーブの工夫、異なった素材から成る三層構造の直方体使用の工夫等により、ソフトでありながら、まるで自分の指で押すしっかりとした感覚を実現でき、満足感が得られるようになった。普段使いのトイレットペーパーをそのまま使う事ができるうえ、簡単に自分の手で外す事ができ、そのままトイレへ流す事ができるので合理的なお尻拭き補助具であり、更には、ブラシ部とグリップ部の接合方法の工夫により、例え便で汚れても自分で簡単に取り換え交換ができ、洗浄・乾燥が簡単に出来るという特徴を持った、清潔・衛生的で安価なお尻拭き補助具を提供するものである。
【００１２】
そうした工夫の結果、腰を屈めるなど腰への負担をかけず、簡単にしかも安全に、補助具での操作でありながら、まるで自分の手で行っているような感覚が味わえる。他人にお願いしづらい「下の世話」つまり、お尻を拭くという、本人にとって尊厳に係る問題が、他人の手を借りる事なく自分で満足できるように出来るというお尻拭き補助具である。
【００１３】
又、お尻拭き補助具の形状をトイレブラシと似せた形状にすることにより、トイレに在っても違和感がなく、デリケートな精神面へも配慮する事により、自立支援の為の補助具ともなるものである。
【図面の簡単な説明】
【００１４】
【図１】突起5として半球状物の突起５Ａを使用のグリップ部1の正面図
【図２】同上のグリップ部1の平面図
【図３】平面形状が矩形状のブラシ部７Ａを斜右方向から見た斜視図
【図４】同上のブラシ部７Ａの正面図
【図５】同上のブラシ部７Ａの平面図
【図６】グリップ部１とブラシ部７Ａを合体したお尻拭き補助具１１
【図７】同上のお尻拭き補助具１１において、ブラシ部７Ａを９０度回転したお尻拭き補助具の平面図
【図８】図７のお尻拭き補助具１１の正面図
【図９】図７のお尻拭き補助具１１に、トイレットペーパー１０を装着した図
【図１０】図8のお尻拭き補助具１１に、トイレットペーパー１０を装着した図
【図１１】円柱状と球状とを組合わせた形状の突起５Ｂを、グリップ部1の端部に装着した図
【図１２】平面形状が波型形状のブラシ部７Ｂを斜右方向から見た斜視図
【発明を実施するための形態】
【００１５】
本発明は、上記課題を克服し、自分で快適にお尻を拭く事ができる様に、2つの特徴ある部材を組み合わせた構造となっている。その１つ目は、握り易くお尻を拭き易く工夫したグリップ部1であり、２つ目はグリップ部１とトイレットペーパー１０との間に介在し、ソフトでしっかりとしたお尻拭きの感触を実現させるブラシ部７である。本発明はこれらを組み合わせてセットし、それにトイレットペーパー１０を巻き付けてお尻を拭くというお尻拭き補助具１１である。
【００１６】
グリップ部1は、その断面形状が円形状や多角形状或はそれらの組合せ形状をした湾曲形状の剛性ある棒状物を使用し、その一方の端部にはお尻拭き補助具１１を使用操作する為の握り部２を設け、他方の端部にはグリップ部1をブラシ部７に組合せセットする為の突起５を設ける。更に、トイレットペーパー１０をブラシ部７に巻き付ける時にその端部を係止する為の挟み止め部３も設ける。
【００１７】
握り部２は湾曲した棒状物の一方の端部に設けるが、その時に握った指がフィットする様な形状や凹凸などを形成し握り易く使い易いようにしておくと好適である。また、棒状物の他方の端部はブラシ部７と合体しお尻拭き補助具１１を形成させるが、その合体がしっかりした合体となる様にその端部には突起５を設ける。その突起５としては剛性を有する球状や半球状、柱状、板状或はそれらの組合せ形状のものが好適である。
【００１８】
更に、グリップ部1には、一方の端部を開口部１２、他方の端部を挿入ストッパ部４とした挟み止め部３も設ける。この挟み止め部３はトイレットペーパー１０の切断端部を棒状物と挟み止め部３との間に挟み込んで、お尻拭き補助具１１を使用時にトイレットペーパー１０がしっかり保持されている様に係止しておく為のものである。その為に、挟み止め部３としてはＩ字やＳ字形状等の細長形状物を使用し、それを棒状物に沿った形で設け、且つその挟み止め部３と棒状物との間は接着での一体化などせず、トイレットペーパー１０を挟み込む事の出来るスペースが形成される様取り付ける。また、その挟み止め部３の一方の端部は棒状物とは一体化させず開口したまゝの開口部１２を形成しておく。こうしておけば、トイレットペーパー１０は開口部１２の開口部分から棒状物と挟み止め部３との間のスペースに容易に挟み込めて係止保持させる事が出来る。
【００１９】
なお、挟み止め部３の棒状物への取付けは、開口部１２とは反対側の挿入ストッパ部４の方の部位で行う。また、挿入ストッパ部４は、グリップ部1とブラシ部７とを組み合わせ合体してお尻拭き補助具１１を構成する時に、グリップ部1の突起５がブラシ部７の挿入穴９に挿入され過ぎない様にする為のストッパでもある。挿入穴９への突起５の挿入が深過ぎて、突起5がブラシ部７の反対側の側面に近くなり過ぎたり或はその側面を突き抜けてしまったりすると、グリップ部1とブラシ部７との組み合わせ合体が不安定となりお尻拭き補助具１１は使いにくくなる。従って、お尻拭き補助具１１の操作使用がやり易い突起５の挿入深さについて検討した結果、突起５を挿入する側とは反対側の側面と突起５の先端との間の間隔Ｌ（図６参照）が、ブラシ部7の長さＭの１０％〜５０％程度、即ちＬ＝Ｍ×（１０％〜５０％）程度が好適であった。従って、挿入ストッパ部４と突起５の先端との間の間隔が、ブラシ部７の長さＭの５０％〜９０％程度の位置となるように挿入ストッパ部４を取り付ける事が好適である。
【００２０】
ブラシ部７は、内層部８ｂとその内層部８ｂを両側から挟む様に設ける表層部８ａから成る三層構造の直方体状物で、その内層部８ｂにはブラシ部７とグリップ部1とを組合せ一体化してお尻拭き補助具１１を形成する為の挿入穴９を設けておく。
挿入穴９は、ここにグリップ部１の突起５を挿入しお尻拭き補助具１１を形成する為のものであるので、しっかり挿入合体され安定感を持って使用出来る事や、ブラシ部７が汚れた時など外して交換するので着脱も簡単に確実に出来ることも大切である。
【００２１】
従って、穴の形状などについて種々検討した結果、柔軟性のある素材に設けたスリット状の切込みが適している事が判明した。更に、お尻拭き補助具１１は、使用する人を考慮した場合には軽量であることも大切であるので、それも加味し検討したところ、内層部８ｂ用の素材としてはスポンジなどの軽量で柔軟性ある発泡樹脂が適していた。ただ、ブラシ部７をこの軽量柔軟な素材だけで構成した場合、それで出来たお尻拭き補助具１１では使用時にしっかりとした拭き上げ感などが得られにくい上に、使っている時にその素材に変形や損傷などが生じる事もあり実用上問題がある事も判明した。
【００２２】
そこで更に検討の結果、挿入しやすい柔軟性のある内層部８ｂを変形から守る為、挿入口を残し上下左右から囲む形状、或は上下のみを挟む形状で、外側に内層部８ｂより硬い素材の表層部８ａを設けて成る三層構造の直方体状物であれば、変形や損傷などのない実用性あるものが得られた。ただ、木や硬質合成樹脂、スチールなどの所謂硬い材質のものは拭き上げ感が良くない上に、時には皮膚を傷つけたりする心配もあり、また突起５の挿入もやり難い面もあり不適であったが、所謂硬い材質でないものであって内層部８bより伸縮性のない素材のもの、例えば不織布やエラストマー、スポンジなどのそうした素材のものであれば、それを表層部８ａに使えば拭き上げ感も良く皮膚を傷つけることもなく、また突起５の挿入もやり易くその固定機能もあり、実用的なお尻拭き補助具１１が得られた。また、表層部８ａの表面に更に柔らかい素材のもの、例えば化粧用スポンジなどのそうした素材を貼りつけると、痔核の人にも優しいお尻拭き補助具ともなる。
【００２３】
ブラシ部７の形状としては、その平面形状が長方形状や楕円形状、波型形状、或はそれらの組合せ形状である直方体状物が使い易く好適であった。
内層部８ｂに設ける挿入穴９は、突起５が挿入可能な幅で内層部８ｂの側面部分の中央部分に設け、そこから反対側の側面に向かって、内層部８ｂの上下にある表層部８ａに平行状に切込む。その際、その挿入穴９の切込み深さは、少なくとも挿入ストッパ部４と突起５の先端の間の長さ以上となる様に切込むが、内層部８ｂの反対側の側面まで突き抜け貫通させても支障ない。貫通させた場合には、挿入穴９のどちらの開口部分からも突起５が挿入出来て使い易いものとなる。
【００２４】
お尻拭き補助具１１は、以上の様な特徴を有するグリップ部１の突起５を、ブラシ部７の挿入穴９に挿入し一体化させたもので、使用時にはトイレットペーパー１０をブラシ部７に巻き付けて、最後にトイレットペーパー１０の端部を挟み止め部３と棒状物との間のスペースに、開口部１２の開口部分から挟み込み係止させ使用に供する。
【００２５】
使い方は、グリップ部1を握りブラシ部７に巻き付けたトイレットペーパー１０でお尻部分の水分などを拭きとる要領で使う。その際、ブラシ部７に巻き付けたトイレットペーパー１０はそのどの面を使って拭いても良く、水洗後の状況や個人の使い易さなどで適宜使い分けする事が出来る。使い終わったトイレットペーパー１０は、ブラシ部７から取り外してそのままトイレに流し処理する。その際、ブラシ部７等が汚れていたら洗って乾燥すれば再使用できるし、もしブラシ部７への汚物などの付着が著しい場合などの時は、グリップ部１の突起５を挿入穴９から抜いてブラシ部７を取り外せば、適宜新しいブラシ部７との交換も容易に出来、常に清潔さを保つことが出来る。
以下実施例にて、更に本発明について説明する。
【実施例１】
【００２６】
本発明は２つのパーツ、手で握る棒状のグリップ部１と、トイレットペーパー１０を巻き付けお尻部分の水分などを拭き取るためのブラシ部７との２つのパーツの構成で成るもので、以下にその実施態様について具体例にて説明する。
【００２７】
図１と２にそのグリップ部１の正面図と平面図を、図３、４、５に平面形状が矩形状のブラシ部７Ａの斜視図と正面図、平面図を、図６〜８にグリップ部１をブラシ部７Ａに挿入し合体した図を、更に図９と１０にトイレットペーパー１０をブラシ部７Ａに巻き付けた図を示す。
【００２８】
先ずグリップ部1について説明する。グリップ部1は図１及び２に示す様な断面形状が大略矩形状をした湾曲形状の棒状物を使用し、その一方の端（図で右側端部）に握り部２を、他方の端部（図で左側端部）に半球形状をした突起５Ａを、またその突起５Ａから少し距離をおいて挟み止め部３を設ける。
【００２９】
棒状物には剛性を有する合成樹脂を使用し、上方（図１でイ方向）へ反るように湾曲させて成型する。握り部２は端部の方になるほど徐々に太めとなる様にし、またその下方（ロ方向）には凹凸の形状を設け、握った時に指がフィットし使い易い様に形成しておく。更にその端部の太めの所にヒモ通し穴６を設けておけば、吊り下げ保管や持ち運びなどに役立ち便利である。
【００３０】
他方の端部に設けた突起５Ａの形状は図１や２の様な半球状の形とし、その素材には剛性が必要であるので棒状物と同じ合成樹脂を使用し棒状物成型時に一体成型して設け、ブラシ部７Ａの挿入穴９に挿入した時にしっかりした合体が得られるようにした。その際、半球体の丸い球体部分が下方向（ロ方向）を、円形面は上方向（イ方向）を向くように成形した。その向きは上下など変更しても特に支障ない。また、突起５は一体成型でなく接着や嵌め合わせなどでの装着でも特に支障ない。
【００３１】
挟み止め部３には、トイレットペーパー１０を挟んで係止保持する役目と、突起５Ａの挿入し過ぎを防止する役目とがあり、その二つの目的達成の為に次の様に設ける。挟み止め部３には合成樹脂のＳ字形状のものを使用し、グリップ部１の棒状物の上面部に図1及び２の様に接着にて取り付けする。即ち、Ｓ字は図１、２のように棒状物の長手方向に沿った形になる様にし、且つ開口部１２は握り部２の方に位置し、挿入ストッパ部４は突起５Ａの方に位置する様に取り付けする。
【００３２】
その際、挟み止め部３の棒状物への取付けは挿入ストッパ部４の方の部位で行い、棒状物に沿って設けた挟み止め部３の部分及び開口部１２の部分は棒状物とは接着での一体化などせずに、トイレットペーパー１０を挟み込み係止保持出来る為のスペースとしておく。また、その挟み止め部３を棒状物へ取り付ける位置は、突起５の先端と反対側の側面との間隔L（図６参照）がブラシ部７の長さMの２０％となる位置、即ちブラシ部７の長さＭの２０％（L＝０．２×Ｍ）が未挿入部分として残るような位置に挿入ストッパ部４が来るように取り付ける。また、本実施例では挟み止め部３は棒状物の上面側に図１〜２の様に設けたが、下面側や正面或は背面側に設けても支障ない。以上の様に設けることにより、装着した挟み止め部３は前述の二つの目的を達成出来るものとなる。
【００３３】
次にブラシ部７Ａについて説明する。本実施例のブラシ部７Ａは、図３，４，５に示す様に、平面形状が矩形状であって中心部分に内層部８ｂを、その上層と下層に表層部８ａを設けた三層構造の直方体状物であり、更に内層部８ｂに突起５Ａを挿入する為の挿入穴９を設けたものである。
【００３４】
内装部８ｂ用の素材としては軽量で柔軟性のあるスポンジを、表層部８ａ用には不織布を使用した。また、その表層部８ａのエッジ部分は直角状でなく少し丸味を帯びさせた。丸みを帯びさせた事により皮膚へのフィット感や吹き上げ感がよくなり使い易くもなった。内層部８ｂに設ける挿入穴９は、突起が挿入可能な幅のスリット状の切込みを、図３〜５の様に、内層部８ｂの短辺の側面の大略中央部に、表層部８ａに平行状に反対側へ貫通させ設けた。この様に挿入穴９を貫通させると、そのどちらの開口部分からも挿入出来て使い易いという利点がある、ただ、本実例では、（００３２）に記載の通り、挿入ストッパ部４と突起５の先端との間隔（図６におけるＭ−Ｌ）が、ブラシ部7の長さＭの８０％となる位置に挿入ストッパ部４を取り付けているので、挿入穴９の切込み深さはブラシ部７の長さＭの８０％以上であれば特に支障はない。
【００３５】
この様にして形成の図５のブラシ部７Ａの挿入穴９へ、図２のグリップ部１の突起５Ａを挿入ストッパ部４まで挿入し、２つのパーツを合体させたものが図６のお尻拭き補助具１１である。このままでも２つのパーツの合体はしっかりしているが、更に合体をしっかりさせる為にブラシ部７Ａを９０度回転させる。この回転後のお尻拭き補助具１１の図が図７（平面図）であり、図８はその正面図である。
【００３６】
使用する際は、この様にして製作のお尻拭き補助具１１のブラシ部７Ａにトイレットペーパー１０を図９や１０の様に巻き付けて使用する。巻き付けはブラシ部７Ａの挟み止め部３とは反対側（図で左端部）の方からグルグルと巻き付け、挟み部分の長さとして挟みやすい２０センチ程度を、巻きつけ分より長めに取ってカットし、この端部を開口部１２の開口部分から挟み止め部３と棒状物との間のスペースに挟み込み係止保持させる。図９は図７のお尻拭き補助具１１にトイレットペーパー１０を巻き付けた図、図１０は図８に巻き付けた図である。
【００３７】
以上の様にして作成のお尻拭き補助具１１は大変使い勝手が良く、しかも、皮膚を傷つける心配が無い上に、まるで自分の手で拭いている感覚を得る事ができるので、他人に介助をお願いしては恥かしい思いをしていた人にとって精神的な自立という点での満足感は大きく、更に外観も、トイレブラシに似ているなど、「下の世話」という使用者本人の尊厳に係るデリケートな精神的な面への配慮も考慮された自立支援の為の補助具となっている。
その他、一般的なトイレットペーパーが使用出来る事、その為トイレへそのまま流せる事、消耗品は、ブラシ部のみの交換で済むことにより経済的にも安価で済む事、利き手が左右どちらであっても使い易い事、ブラシの挿入穴を貫通させた場合にはどちら側からでも挿入出来る事、また、毎日使うものであり洗濯乾燥が簡単でしかも清潔であり、更にこの取替作業も自分で簡単に出来るなどの利点も有する大変使い易いお尻拭き補助具です。
【００３８】
また、旅行や外出先での使用目的の為には、グリップ部１を、回転や折り畳みなどの方法を用いて短縮すると、使用者本人が旅行や通院等で持ち歩く時に大変便利である。
【実施例２】
【００３９】
本実施例は、実施例１で使用の突起５とブラシ部７の形状を変更した実施例で、それ以外は実施例1と同様である。突起５としては、半球状ではなく、円柱状と球状の形状物とを組み合わせた形状の突起５Ｂを、ブラシ部７としては、矩形状ではなく、波型形状のブラシ部７Ｂを使用した。その突起５Ｂをグリップ部1の端部に装着した状態の図を図１１のＡ（正面図）、Ｂ（平面図）、Ｃ（左側面図）、Ｄ（右側面図）に、ブラシ部７Ｂの右方向からの斜視図を図１２に示す。
【００４０】
この突起５Ｂをブラシ部７Ｂの挿入穴９に実施例１と同様の要領で挿入し合体させてお尻拭き補助具１１を形成させ、実施例１と同じ要領で使用する。その使い勝手など実施例１と比較し全くそん色なく、その上ブラシ部7が波型形状であるのでしっかり拭き取る事が出来る場合もあり使い易い物である。
【符号の説明】
【００４１】
１、グリップ部
２、握り部
３、挟み止め部
４、挿入ストッパ部
５、５Ａ，５Ｂ，突起
６、ヒモ通し穴
７，7Ａ，7Ｂ，ブラシ部
８ａ、表層部
８ｂ、内層部
９、挿入穴
１０、トイレットぺーパー
１１、お尻拭き補助具
１２、開口部
イ，ロ，方向を示す記号
Ｌ，Ｍ，長さを示す記号
【要約】
【課題】ギックリ腰で排便後のお尻が自分で拭けず、お願いもできず困った経験から、肥満や加齢・障害により困難になった人が、無理なく自分でできるお尻拭き補助具を提供。
【解決手段】２つの部品からなり、グリップ部1の突起５Ａを、ブラシ部７Ａの挿入穴９に差し込み合体させるシンプルな構造。使用時は、トイレットペーパーをブラシ部７Ａに巻き付け最後に、その端部を挟み止め部３に挿入係止し保持させるので皮膚を傷つける心配が無い。使い方は排便水洗後の残った水分を拭き取る要領で使う。グリップ部１の湾曲した形状により腰に負担がかからず、座ったままの楽な姿勢が実現。更にグリップ部１の形状の工夫により、まるで自分の手で拭いている様な感触が味わえる。使用法は、日常使いのトイレットペーパーを使うので、そのまま流せ、ブラシ部７の交換も差し込むだけなので自分で出来、洗濯や乾燥も簡単な清潔で安全なお尻拭き補助具１１。
【選択図】図８【図１】
0005961783.tif 000002
【図２】
0005961783.tif 000003
【図３】
0005961783.tif 000004
【図４】
0005961783.tif 000005
【図５】
0005961783.tif 000006
【図６】
0005961783.tif 000007
【図７】
0005961783.tif 000008
【図８】
0005961783.tif 000009
【図９】
0005961783.tif 000010
【図１０】
0005961783.tif 000011
【図１１】
0005961783.tif 000012
【図１２】
0005961783.tif 000013